(57)【要約】【課題】携帯電話において、電話発信先やメール送信先を選択する場合、画面上に隣接して表示されているメールアドレスや電話番号をユーザーが誤操作で選択した場合に、メールの誤送信や電話の誤発信が発生する【解決手段】携帯電話機に、複数の発信先情報を表示する表示部と、表示された発信先情報の１つを選択する操作を受け付ける第１の選択操作受付部と、受け付けた発信先情報を発信先として決定する操作を受け付ける決定操作受付部と、前記決定した発信先情報の確認画面を表示する確認表示部と、前記決定した発信先情報の変更の操作を受け付ける変更操作受付部と、前記決定した発信先情報の変更の操作があった場合、決定した発信先情報に隣接して表示されていた発信先情報を表示する隣接発信先情報表示部と、前記隣接して表示されていた発信先情報を選択する操作を受け付ける第２の選択操作受付部と、受け付けた発信先情報を発信先として決定する操作を受け付ける第２の決定操作受付部と、前記受け付けた発信先情報へ発信を行う発信部を備える。【選択図】図６
2011155514.tif 000002
【特許請求の範囲】
【請求項１】
複数の発信先情報を表示する表示部と、
表示された発信先情報の１つを選択する操作を受け付ける第１の選択操作受付部と、
受け付けた発信先情報を発信先として決定する操作を受け付ける決定操作受付部と、
前記決定した発信先情報の確認画面を表示する確認表示部と、
前記決定した発信先情報の変更の操作を受け付ける変更操作受付部と、
前記決定した発信先情報の変更の操作があった場合、決定した発信先情報に隣接して表示されていた発信先情報を表示する隣接発信先情報表示部と、
前記隣接して表示されていた発信先情報を選択する操作を受け付ける第２の選択操作受付部と、
受け付けた発信先情報を発信先として決定する操作を受け付ける第２の決定操作受付部と、
前記受け付けた発信先情報へ発信を行う発信部と、
を備えることを特徴とする携帯電話機。
【請求項２】
前記複数の発信先情報は、アドレス帳、電話着信履歴、電話発信履歴、メール受信履歴、メール送信履歴のうち少なくとも一つを含むことを特徴とする請求項１記載の携帯電話機。
【請求項３】
前記隣接して表示されていた発信先情報とは、前記決定した発信先情報の上及び／又は下に表示されていた発信先情報であることを特徴とする請求項１記載の携帯電話機。
【請求項４】
前記隣接して表示されていた発信先情報とは、上及び／又は下、左及び／又は右、右斜め上及び／又は左斜め下、左斜め上及び／又は右斜め下に表示されていた発信先情報であることを特徴とする請求項１記載の携帯電話機。
【請求項５】
発信先情報の１つを選択する操作を受け付けるステップと、
受け付けた発信先情報を発信先として決定する操作を受け付けるステップと、
前記決定した発信先情報の確認画面を表示するステップと、
前記決定した発信先情報の変更の操作を受け付けるステップと、
前記決定した発信先情報の変更の操作があった場合、決定した発信先情報に隣接して表示されていた発信先情報を表示するステップと、
前記隣接して表示されていた発信先情報を選択する操作を受け付けるステップと、
受け付けた発信先情報を発信先として決定する操作を受け付けるステップと、
前記受け付けた発信先情報へ発信を行うステップと、
を備えることを特徴とする携帯電話機の発信方法。
【発明の詳細な説明】
【技術分野】
【０００１】
本発明は、携帯電話機における誤発信の防止に関するものである。
【背景技術】
【０００２】
携帯電話は、アドレス帳に登録されたメールアドレスや電話番号に基づいてメール送信や電話発信が可能である。またアドレス帳に限らず、電話であれば着信履歴や発信履歴に記憶された電話番号から電話発信、メールであれば、送信履歴や受信履歴に記憶された電話番号（ＳＭＳ）やメールアドレスからも容易に所定の相手へのメール送信が可能である。
しかしながら、上記のようにメール送信や電話発信を行う場合、アドレス帳に登録されたメールアドレスや電話番号の選択を誤ることにより意図しない相手へメール送信や電話発信を行う可能性がある。
この課題を解決するために特許文献１では、メールの誤送信を防止する技術として、選択したメールアドレスの所属や氏名から類似するメールアドレスを判断し、類似メールアドレスがある旨を表示することが記載されている。
【先行技術文献】
【特許文献】
【０００３】
【特許文献１】特開２００１−２３０８０２号公報
【発明の概要】
【発明が解決しようとする課題】
【０００４】
しかしながら、特許文献１に係る発明では、例えば、メールの送信履歴や受信履歴よりメール送信先を選択する場合、画面上に隣接して表示されている類似しないメールアドレスをユーザーがキー操作を誤って選択したときに発生する誤送信は防ぐことができない。本発明の目的は、ユーザーがキー操作を誤ることによる意図しないメールの送信や電話の発信を防止することが可能な携帯電話機と携帯電話機の発信方法を提供することである。
【課題を解決するための手段】
【０００５】
上記した問題を解決するために、複数の発信先情報を表示する表示部と、表示された発信先情報の１つを選択する操作を受け付ける第１の選択操作受付部と、受け付けた発信先情報を発信先として決定する操作を受け付ける決定操作受付部と、前記決定した発信先情報の確認画面を表示する確認表示部と、前記決定した発信先情報の変更の操作を受け付ける変更操作受付部と、前記決定した発信先情報の変更の操作があった場合、決定した発信先情報に隣接して表示されていた発信先情報を表示する隣接発信先情報表示部と、前記隣接して表示されていた発信先情報を選択する操作を受け付ける第２の選択操作受付部と、受け付けた発信先情報を発信先として決定する操作を受け付ける第２の決定操作受付部と、前記受け付けた発信先情報へ発信を行う発信部を備える。
【０００６】
好ましくは、前記複数の発信先情報は、アドレス帳、電話着信履歴、電話発信履歴、メール受信履歴、メール送信履歴のうち少なくとも一つを含む。
【０００７】
好ましくは、前記隣接して表示されていた発信先情報とは、前記決定した発信先情報の上及び／又は下に表示されていた発信先情報である。
【０００８】
好ましくは、前記隣接して表示されていた発信先情報とは、上及び／又は下、左及び／又は右、右斜め上及び／又は左斜め下、左斜め上及び／又は右斜め下に表示されていた発
信先情報である。
【０００９】
好ましくは、発信先情報の１つを選択する操作を受け付けるステップと、受け付けた発信先情報を発信先として決定する操作を受け付けるステップと、前記決定した発信先情報の確認画面を表示するステップと、前記決定した発信先情報の変更の操作を受け付けるステップと、前記決定した発信先情報の変更の操作があった場合、決定した発信先情報に隣接して表示されていた発信先情報を表示するステップと、前記隣接して表示されていた発信先情報を選択する操作を受け付けるステップと、受け付けた発信先情報を発信先として決定する操作を受け付けるステップと、前記受け付けた発信先情報へ発信を行うステップと、を備えることを特徴とする携帯電話機の発信方法を含む。
【発明の効果】
【００１０】
本発明の携帯電話機によれば、ユーザーがキー操作を誤ることによる意図しないメールの送信や電話の発信を防止することが可能な携帯電話機と携帯電話機の発信方法を提供することができる。
【図面の簡単な説明】
【００１１】
【図１】本発明の実施の形態の一例を示す携帯電話機１００の外観斜視図。
【図２】携帯電話機１００のシステム図。
【図３】携帯電話機１００のメモリーマップ。
【図４】メール送信処理のフローチャート。
【図５】電話発信処理のフローチャート。
【図６】実施例の一つである発信先情報選択処理１のフローチャート。
【図７】着信履歴から発信先及びメール送信先を選択する画面の一例。
【図８】確認情報の表示画面の一例を示す図。
【図９】実施例の一つである発信先情報選択処理２のフローチャート。
【図１０】発信履歴から発信先情報を選択する画面の一例。
【図１１】確認情報の表示画面の一例を示す図。
【図１２】実施例の一つである発信先情報選択処理３のフローチャート。
【図１３】名前かなソート順リストより発信先情報を選択する画面の一例。
【図１４】確認情報の表示画面の一例を示す図。
【発明を実施するための形態】
【００１２】
以下、図を参照して本発明に係る携帯電話機１００の説明をする。はじめに、本発明の概要を説明する。
【００１３】
本発明では、電話発信であれば、アドレス帳、電話発信履歴、電話着信履歴、また、メール送信であれば、アドレス帳、メール受信履歴、メール送信履歴からメール送信先を選択した場合、選択した電話発信先やメール送信先に間違いが無いかを確認する確認メッセージを表示する。もし選択に誤りがあった場合は隣接したアドレスを変更候補として表示する。これにより、意図しない電話発信及びメール送信を防止する。なお以下において、メール受信履歴は受信履歴、メール送信履歴は送信履歴、電話発信履歴は発信履歴、電話着信履歴は着信履歴と表示する。
【００１４】
次に、図１と図２を用いて本発明の実施の一例を示す携帯電話機１００の構成について説明する。
【００１５】
図１は、本発明の実施の一例である携帯電話機１００の外観斜視図である。図示される構成として、携帯電話機１００には、表示部１１０、操作部１２０、スピーカ１３０、マイク１４０、発光部１５０が備えられている。
【００１６】
図２は、本発明の実施の一例を示す携帯電話機１００の構成図である。携帯電話機１００は、制御部１６０、操作部１２０、ＲＯＭ１７０（ＲＥＡＤ  ＯＮＬＹ  ＭＥＭＯＲＹ）、ＲＡＭ１８０（ＲＡＮＤＯＭ  ＡＣＣＥＳＳ  ＭＥＭＯＲＹ）、Ｉ／Ｆ１９０、外部メモリ２００、コーデック部２１０、Ａ／Ｄコンバータ１３５、Ｄ／Ａコンバータ１２５、振動部２６０、発光部１５０、撮影部２４０、近距離通信部２５０、表示部１１０、無線回路２２０、アンテナ２３０、マイク１４０、スピーカ１３０により構成されている。
【００１７】
表示部１１０は、携帯電話機１００に備えられた機能を実現するために必要な画面を表示する。表示部１１０は、例えば液晶表示装置、有機ＥＬ（ＥＬＥＣＴＲＯ  ＬＵＭＩＮＮＥＳＣＥＮＳＥ）ディスプレイ等で構成される。前記必要な画面の表示とは、例えば、機能メニューの表示、受信及び送信メールの表示、発信の履歴情報や着信の履歴情報の表示、アドレス帳データの表示、カメラ画像の表示、ビデオ映像の表示、画像データの表示などを含む。
【００１８】
操作部１２０は、ユーザーからの入力操作を受け付ける。受け付けられた入力操作は制御信号として制御部１６０に入力され、制御部１６０は制御信号に応じた機能を実行する。
【００１９】
スピーカ１３０はＤ／Ａコンバータ１２５を介して制御部１６０と接続されており、外部に音を出力する機能を有する。Ｄ／Ａコンバータ１２５は、制御部１６０からのデジタル信号の入力をアナログ信号に変換する。変換されたアナログ信号はスピーカ１３０を介して出力される。
【００２０】
マイク１４０はＡ／Ｄコンバータ１３５を介して制御部１６０と接続されており、音声などの外部からの音の入力を受け付ける。入力された音はアナログ信号としてＡ／Ｄコンバータ１３５に出力される。Ａ／Ｄコンバータ１３５に入力されたアナログ信号はデジタル信号へと変換されて制御部１６０に出力される。
【００２１】
発光部１５０は、制御部１６０からの制御信号によって外部へ光を照射する機能を備える。例えば、ＬＥＤに代表される発光体により構成され、ユーザーへの着信の報知を行う。
【００２２】
制御部１６０は、携帯電話機１００に備えられた各種機能や各種ハードウェアを制御する。また、操作部１２０の入力により携帯電話機１００に備えられた各種機能を実行する。
【００２３】
ＲＯＭ１７０は、携帯電話機１００に備えられた機能を実行するためのプログラムを記憶する。制御部１６０はＲＯＭ１７０へアクセス可能であり、機能を実行するために必要なプログラムを読み出す。
【００２４】
ＲＡＭ１８０は、制御部１６０からアクセス可能であり、制御部１６０の作業記憶領域やバッファ領域として利用される。
【００２５】
Ｉ／Ｆ１９０には、着脱可能な外部メモリ２００が装着される。制御部１６０は、Ｉ／Ｆ１９０を介して外部メモリ２００へのアクセスが可能であり、例えば外部メモリ２００に記憶されたプログラムを読み出し実行する。外部メモリ２００は、プログラムを記憶する媒体であればよく、例えば、メモリーカード、ＨＤＤ（ＨＡＲＤ  ＤＩＳＣ  ＤＲＩＶＥ）、ＳＩＭカードなどである。また上記プログラムは外部メモリ２００から直接読み出し実行可能なプログラムに限られず、暗号化されたプログラム、圧縮処理されたプログラ
ム、また、画像データ、メール本文データなどの文章データなどを含む。
【００２６】
振動部２６０は、制御部１６０からの制御信号によって機械的振動を生じる。振動部２６０は、例えば、モーターなどから構成され、着信、メールの受信、アラーム日時到来などを機械的振動としてユーザーへ報知する。
【００２７】
撮影部２４０は、カメラ機能やビデオ機能を備える。撮影部２４０は、例えば、ＣＣＤ（ＣＨＡＲＧＥ  ＣＯＵＰＬＥＤ  ＤＥＶＩＣＥ）カメラやＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなどにより構成される。
【００２８】
近距離通信部２５０は、赤外線通信などの近距離無線通信を行う。近距離通信部２５０は、例えば、アドレス帳に登録された発信先情報やデータフォルダに記憶された画像データを近距離にいる通信相手先と送受信する。
【００２９】
無線回路２２０は、アンテナ２３０から入力された所定の高周波信号に復調処理及び復号処理を施してデジタルの音声信号へと変換する。また、制御部１６０から入力されたデジタルの音声信号には符号化処理及び変調処理を施して所定の高周波信号に変換する。そして、無線回路２２０は所定の高周波信号をアンテナ２３０へ出力する。
【００３０】
アンテナ２３０は、所定周波数の電磁波を受信して所定の高周波信号として無線回路２２０に出力する。また無線回路２２０より出力された所定の高周波信号を所定周波数の電磁波として出力する。
【００３１】
なお本発明の実施の形態に係る携帯電話機１００は、ストレート型の携帯電話機としたが折り畳み型やスライド型の携帯電話機であってもよい。
【００３２】
図３はＲＡＭ１８０に記憶されている情報（ここではメモリマップと呼ぶ）を示す。メモリマップはプログラム記憶領域とデータ記憶領域から構成される。プログラム記憶領域には、メール送信プログラム、発信プログラム、発信先情報選択プログラムなどが含まれる。データ記憶領域には、発信先情報データベース、履歴データ、新規発信先情報登録バッファ、メール作成バッファ、表示発信先数バッファ、画面両端発信先情報バッファ、選択発信先情報バッファ、隣接発信先情報バッファ、確認情報データを含む。
【００３３】
まずプログラム記憶領域に記憶されているプログラムについて説明する。プログラム記憶領域には、メール送信プログラム、発信プログラム、発信先情報選択プログラムが記憶されている。
【００３４】
メール送信プログラムは、メールを作成して指定した発信先へメールを送信するプログラムである。メール送信プログラムの処理の流れの一例は図４を用いて後ほど説明する。
【００３５】
発信プログラムは、指定した発信先へ電話発信を行うためのプログラムである。発信プログラムの処理の流れの一例は図５を用いて後ほど説明する。
【００３６】
発信先情報選択プログラムはメール送信先や電話発信先を選択するためのプログラムである。発信先情報選択プログラムの処理の流れの一例は図６、図９、図１２に示す。図６、図９、図１２については後ほど説明する。
次にデータ記憶領域に記憶されているデータについて説明する。
【００３７】
データ記憶領域には、発信先情報データベース、履歴データ、新規発信先情報登録バッ
ファ、メール作成バッファ、表示発信先数バッファ、選択発信先情報バッファ、画面両端発信先情報バッファ、隣接発信先情報バッファ、確認情報バッファが記憶されている。
【００３８】
発信先情報データベースは、携帯電話機１００に保存された発信先情報が保存されている。発信先情報とは、メモリ番号、氏名、電話番号、メールアドレス、グループ（例えば学校や仕事先などの所属に関する情報）などを含む情報である。発信先情報データベースは、例えばアドレス帳であり、発信先情報が名前かな順にソートされた名前かな順リストデータや、メモリ番号順にソートされたメモリ番号順リストデータや、グループごとに名前かな順にてソートされたグループリストデータなどを含む。
【００３９】
履歴データとは、発信履歴、着信履歴、送信履歴、受信履歴などを含む。これらの履歴データには、事象の発生時刻が記憶されている。例えば、発信履歴であれば過去に発信を行った発信先情報または電話番号が、時間順にてソートされて保存されている。過去に電話発信を行った発信先情報（ここでは電話番号）が発信先データベースに存在するならば、発信先情報データベースに登録された情報（例えば氏名、メモリ番号など）が表示される。発信先情報に登録されていない発信先情報である場合は、表示部１１０には電話番号が表示される。同様に、送信履歴であれば、過去にメール送信を行ったメールアドレスまたは発信先情報データベースに登録された情報（例えば氏名、メモリ番号）が表示部１１０に表示される。発信先情報に登録されていないメールアドレスであれば表示部１１０にはメールアドレスが表示される。
【００４０】
登録バッファは発信先情報を新たに発信先情報データベースに登録する際に、一時的に保存される文字、数字、画像、着信音の設定などを含むデータを一時的に記憶するバッファである。
【００４１】
メール作成バッファは、メール作成を行っている際に一時的に保存される文字、数字、絵文字、添付データ、発信先情報などを含むデータを一時記憶するバッファである。
【００４２】
表示発信先数バッファは、画面に一度に表示される発信先の数を記憶しておく。表示発信先数は、例えば画面サイズや文字サイズに基づいて決まり、携帯電話機１００の製造時に予め定められる。また、ユーザーの使用状況に応じて適宜変更される。
【００４３】
選択発信先情報バッファは、後ほど説明する発信先選択処理において、指定された発信先情報データベース及び履歴データから、ユーザーが選択した発信先情報を一時記憶するバッファである。
【００４４】
画面両端発信先情報バッファは、画面に表示されている発信先リストの画面両端の各発信先情報を記憶しておくバッファである。
【００４５】
隣接発信先情報バッファは、ユーザーが選択した発信先情報に隣接して表示されている発信先情報を一時記憶しておくバッファである。隣接して表示される発信先情報は、図６、図９、図１０に示す発信先情報選択処理の説明内にて説明する。
【００４６】
確認情報データは、発信先情報を決定した場合に選択した発信先に誤りがないか否かをユーザーに確認するための表示情報を記憶している。
【００４７】
なお、上記メモリマップに関する情報は、ＲＡＭ１８０に記憶されるとしたが、外部メモリ２００に記憶されていてもよい。その場合、外部メモリ２００のデータはＩ／Ｆ１９０を介して制御部１６０からの指示により読み出される。さらに、上記プログラム記憶領域に記憶されたプログラム及びデータ記憶領域に記憶されたデータは図３に記載したプロ
グラムやデータに限定せず携帯電話機１００が備える機能を実行するために必要なプログラムやデータも含まれる。
【００４８】
メール送信処理について図４を用いて説明する。メール送信処理は、メモリマップに記憶されたメール送信プログラムを実行することによって処理される。
【００４９】
操作部１２０への入力によってメール送信処理が開始された場合、操作部１２０からの入力がメール本文作成操作であるか否かを判断する（Ｓ１００）。
もし本文作成操作であった場合、本文の入力を行う（Ｓ１０５）。
【００５０】
もし本文作成操作でなかった場合、次に、発信先情報選択操作であるか否かを判断する（Ｓ１１０）。
【００５１】
発信先情報選択操作であった場合は、発信先情報選択処理を行う（Ｓ１１５）。発信先情報選択処理については後ほど説明する。
発信先情報選択操作でなかった場合は、次に、メール送信操作であるか否かを判断する（Ｓ１２０）。
【００５２】
もしメール送信操作であればメール送信を実行する（Ｓ１３０）。
もしメール送信操作でなかった場合は、Ｓ１００の処理に戻る。
【００５３】
なお上記した本文作成、発信先情報選択の判断順序は適宜入れ替えてもよい。
【００５４】
発信処理について図５を用いて説明する。発信処理はメモリマップに記憶された発信プログラムを実行することによって処理される。
【００５５】
操作部１２０への入力によって電話発信操作が実行された場合、はじめに、発信先選択処理を実行して電話発信先を選択する（Ｓ２００）。
【００５６】
そして、操作部１２０の入力によって選択された発信先情報に基づいて電話発信を行う（Ｓ２１０）。
【００５７】
次に発信先情報選択処理について説明する。発信先情報選択処理は、発信先情報の表示態様によって変化する。発信先選択処理について、以下に３つの処理例を示す。
【００５８】
はじめに第１の処理例として、図６に示す発信先情報選択処理１について説明する。本処理例では、１画面に発信先情報データベースより読み出された発信先情報が最大5つ表示され、操作部１２０の入力による画面のスクロールによって読み出された発信先情報データベースに登録されている新たな発信先情報がソート順に表示される。
【００５９】
まず発信先を選択するために表示部１１０に表示する発信先情報データベースを選択する。発信先選択リストとしては、例えば図３に示した発信先情報データベース中のアドレス帳や履歴データ中の発信履歴、着信履歴、送信履歴、受信履歴などがある（Ｓ３００）。
【００６０】
次に選択された発信先選択リストをＲＡＭ１８０から読み出して表示部１１０へ出力する。表示画面の一例は図７（a）、（ｂ）、（ｃ）に示す（Ｓ３１０）。
【００６１】
次に表示した発信先選択リストに発信先情報が２つ以上含まれているか否かを判断する。
もし発信先選択リストに発信先情報が２つ以上含まれていなかった場合は、つまり発信先情報が１つ表示された場合は、ユーザーからの発信先情報の選択操作（Ｓ３２２）、決定操作（Ｓ３２４）が行われた後、発信先情報選択処理１を終了する。
一方、発信先選択リストに発信先情報が２つ以上含まれていた場合、次に、発信先情報の選択を行う。選択は操作部１２０の入力により行われる（Ｓ３３０）。
【００６２】
次に、選択した発信先情報の上位及び下位に表示されている発信先情報を隣接発信先情報バッファに一時記憶する（Ｓ３４０）。
【００６３】
次に操作部１２０からの入力により発信先情報が決定されると（Ｓ３５０）、表示部１１０に確認情報を表示する（Ｓ３６０）。確認情報の一例は図８（ａ）に図示する。
確認情報により選択した発信先情報が正しければ図８（ａ）の画面内に表示された「はい」を選択して発信先選択処理を終了する（Ｓ３７０）。
【００６４】
確認情報により選択した発信先情報に誤りがあった場合は、図８（ａ）の画面中央に表示された「変更」を操作部１２０の入力によって選択すると変更画面に移る（Ｓ３７２）。変更画面の一例は図８（ｂ）に示す。
【００６５】
図８（ｂ）では隣接発信先情報に一時記憶した発信先情報を表示する。表示された発信先情報に変更する場合は、変更したい発信先情報を選択する（Ｓ３７４）。ここでは画面表示の一例として、図８（ａ）に表示された「山本  二○」を選択していた場合の変更画面を示している。「山本  二○」を選択していた場合、隣接発信先情報には、「清水  一○」と「鈴木  三○」が一時記憶されている。もし「清水  一○」に変更するならば、操作部１２０の入力によって「清水  一○」を選択する。「清水  一○」を選択した場合、図８（ｃ）に図示する変更完了画面を表示して、発信先選択処理１を終了する。
【００６６】
次に第２の処理例について図９〜図１１に基づいて説明する。本処理例では、発信先情報データベースより読み出された発信先情報が１画面に最大5つ表示され、切替操作によって次の新たな５つの発信先情報の表示に切替わる発信先情報の表示形態における発信先情報の選択処理を示している。なお切替操作とは、図１０（b）に示す発信先情報の表示画面の一例であれば、画面下の「次へ」「戻る」を操作部１２０の入力によって選択することにより行われる。
【００６７】
発信先情報選択処理２では、まず発信先を選択するために表示部１１０に表示する発信先情報データベースを選択する（Ｓ４００）。表示される発信先情報データベースは、図３に示した、発信先情報データベース中のアドレス帳、履歴データ中の発信履歴、着信履歴、送信履歴、受信履歴などである。
【００６８】
次に選択された発信先情報データベースをＲＡＭ１８０から読み出して表示部１１０へ出力する（Ｓ４１０）。発信先情報の表示画面の一例は図１０（a）、（ｂ）に示す。図１０(a)に表示された発信履歴は、画面右下の「次へ」または、「戻る」を操作部１２０の入力によって選択した場合、発信先情報データベースの並び順に従った新たな最大５つの発信先情報を表示部１１０に表示する。「次へ」を選択して発信先情報の表示画面を切り替えた一例は図１０（b）に示す。
【００６９】
次に表示した発信先選択リストに発信先情報が２つ以上含まれているか否かを判断する（Ｓ４２０）。
【００７０】
発信先選択リストに発信先情報が２つ以上含まれていた場合、Ｓ４３０の処理へ進む。もし発信先選択リストに発信先情報が２つ以上含まれていなかった場合、つまり発信先情
報が一つ表示された場合は、ユーザーからの発信先情報の選択操作（Ｓ４２２）、決定操作（Ｓ４２４）を行い発信先情報選択処理２を終了する。
【００７１】
次に１画面に表示される発信先情報の数を表示発信先数バッファに一時記憶する（Ｓ４３０）。表示発信先数は文字サイズや画面サイズにより予め定められており、本実施例においては５とする。
【００７２】
次に１画面に表示された発信先情報のうち、画面の両端に表示された発信先情報を両端表示発信先情報バッファに記憶する。画面の両端に表示されたとは、図７（a）であれば「清水一○」と「瀬川五○」に関する発信先情報である（Ｓ４４０）。
【００７３】
次に発信先情報選択を行う（Ｓ４５０）。なお選択は操作部１２０の入力により行われる。
【００７４】
次に画面の切替操作が操作部１２０より入力されたか否かを監視する（Ｓ４６０）。もし画面の切替操作が行われた場合、Ｓ４４０の処理に戻り、両端表示発信先情報バッファを更新する。
【００７５】
次に操作部１２０の入力により選択した発信先情報を決定する入力が行われたか否かを監視する（Ｓ４７０）。
【００７６】
次に、決定した発信先情報が両端表示発信先情報バッファに記憶された発信先情報であるか否かを判断する。（Ｓ４８０）。
【００７７】
両端表示発信先情報バッファに記憶された発信先情報でない場合は、決定された発信先情報の上位及び下位に隣接して表示されている発信先情報を隣接発信先情報バッファに一時記憶する（Ｓ４８５）。
【００７８】
両端表示発信先情報バッファに記憶された発信先情報である場合は、さらに、決定した発信先情報が表示部１１０表示された発信先情報データベースの最も上に表示された発信先情報であるか否かを判断する（Ｓ４９０）。
【００７９】
選択した発信先情報が最も上に表示された発信先情報である場合は、最も上に表示された発信先情報の下位に表示されている発信先情報を隣接発信先情報バッファに一時記憶する（Ｓ４９５）。本処理例においては、表示された発信先情報データベース上において、選択した発信先情報の一つ上に並べられた発信先情報を一時記憶する。
【００８０】
選択した発信先情報が最も上に表示された発信先情報でない場合、つまり最も下に表示された発信先情報であった場合は、最も下に表示された発信先情報の上位に表示された発信先情報を隣接発信先情報に一時記憶する（Ｓ５００）。本処理例においては、表示された発信先情報データベース上において、選択した発信先情報の一つ上に並べられた発信先情報を一時記憶する。
【００８１】
次に選択した発信先情報が操作部１２０の入力によって決定された場合、確認情報を表示する。確認情報の一例は図８（ａ）に示す（Ｓ５１０）。
【００８２】
確認情報により選択した発信先情報が正しければ、図１１（ａ）の画面内に表示された「はい」を操作部１２０の入力により選択して、発信先選択処理を終了する（Ｓ５２０）。
【００８３】
選択した発信先情報に誤りがあった場合は、図１１（ａ）の確認情報画面中央の変更を操作部１２０の入力により選択して変更画面に移る（Ｓ５２２）。変更画面の一例は図８（ｂ）に示す。図１１（ｂ）では隣接発信先情報に一時記憶した発信先情報が表示される。表示された発信先情報に変更する場合は変更したい発信先情報を操作部１２０の入力により選択する（Ｓ５２４）。図１１（ｂ）においては、画面表示の一例として、図１１（ａ）に表示された「清水  一○」を選択した場合の変更画面を示している。「清水  一○」を選択していた場合、隣接発信先情報には、「山本二○」が一時記憶されている。もし「山本  二○」に変更するならば、操作部１２０の入力によって「山本  二○」を選択する。
【００８４】
「山本  二○」を選択した場合、図１１（ｃ）に図示する変更完了画面を表示した後発信先選択処理を終了する。
【００８５】
次に第３の処理例として図１２に示す発信先情報選択処理３について説明する。図１２には、発信先情報データベースより読み出された発信先が１画面に最大９つ表示される場合の発信先情報選択処理の流れを示す。本実施例では操作部１２０の入力による画面のスクロールによって表示された発信先情報の画面切替を行うことができるよう表示部１１０に発信先データベースが表示されている。発信先情報の画面表示の一例は図１３（a）（b）に示す。図１３（a）（b）には名前カナ順にソートされた発信先情報が表示された一例を示したが時間順でソートされた発信履歴や着信履歴が同様に表示されてもよい。
なお、本処理例では、操作部１２０の入力による画面のスクロールによって、読み出された発信先情報データベースに登録されている新たな発信先情報がソート順に表示される。図１３（ｂ）には、画面のスクロール操作を行った一例をに示す。
【００８６】
まず発信先を選択するために表示部１１０に表示する発信先選択データベースを選択する（Ｓ６００）。発信先選択データベースとしては、例えば図３に示した、発信先情報データベース中のアドレス帳や履歴データ中の発信履歴、着信履歴、送信履歴、受信履歴などである。
【００８７】
次に選択された発信先選択リストをＲＡＭ１８０から読み出して表示部１１０へ出力する。表示画面の一例は図１３（a）、（ｂ）に示す（Ｓ６１０）。
【００８８】
次に表示した発信先選択リストに発信先情報が２つ以上含まれているか否かを判断する。
もし発信先選択リストに発信先情報が２つ以上含まれていなかった場合は、ユーザーからの発信先情報の選択操作（Ｓ６２２）、決定操作（Ｓ６２４）の後、発信先情報選択処理を終了する。
もし発信先選択リストに発信先情報が２つ以上含まれていた場合、発信先情報を操作部１２０の入力によって選択する（Ｓ６３０）。
【００８９】
次に選択された発信先情報が左列の発信先情報であるか否かを判断する（Ｓ６４０）。判断方法は選択した発信先情報がＲＡＭ１８０に記憶されている発信先情報データベース上の名前カナ順リストにおいて、１＋３ｎ（ｎは自然数）番目に記憶された発信先情報であるか否かにより行う。もし選択した発信先情報が画面表示上で左列に表示された発信先情報であれば、発信先情報データベース上にて３つ前、２つ前、１つ後、３つ後、４つ後に発信先情報データベース上にて記憶されている発信先情報を隣接発信先情報として一時記憶する（Ｓ６４５）。図７（a）を用いて具合的に示すならば、「斉藤  四○」が選択された場合、「清水  一○」、「瀬川  五○」、「瀬田  三○」の発信先情報が隣接発信先情報バッファに一時記憶される。
【００９０】
もし選択した発信先情報が画面表示上で左列に表示された発信先情報でないと判断された場合、次に画面表示上で中央の列に表示された発信先情報であるか否かを判断する（Ｓ６５０）。判断方法は選択した発信先情報がＲＡＭ１８０に記憶されている発信先情報データベース上の名前カナ順リストにおいて、２＋３ｎ（ｎは自然数）番目に記憶された発信先情報であるか否かにより行う。もし選択した発信先情報が画面表示上で中央列に表示された発信先情報であれば、発信先情報データベース上にて選択した発信先情報の４つ前、３つ前、２つ前、１つ前、１つ後、２つ後、３つ後、４つ後に記憶された発信先情報を隣接発信先情報として一時記憶する。図７（a）に示す画面表示であれば、「瀬田  三○」が選択された場合、「斉藤  四○」、「清水  一○」、「清水  六○」、「瀬川  五○」、「瀬田  三○」、「芹川  六○」、「芹川  七○」、「相馬  八○」、「曽田  九○」の発信先情報を隣接発信先情報バッファに一時記憶される。
【００９１】
選択した発信先情報が画面表示上で中央の列に表示された発信先情報でないと判断された場合、つまり、画面表示上で右列に表示された発信先情報データベース上にて記憶されている情報であった場合は、発信先情報データベース上にて４つ前、３つ前、１つ前、２つ後、３つ後に記憶されている発信先情報を隣接発信先情報として一時記憶する（Ｓ６６０）。具体的には、図７（a）に示す画面表示において、「曽田  九○」が選択された場合、「瀬田  三○」、「芹川  六○」、「相馬  八○」、「園崎  一○」、「祖間  二○」の発信先情報を隣接発信先情報バッファに一時記憶される。
【００９２】
次に操作部１２０からの入力により発信先情報が決定される（Ｓ６７０）と表示部１１０に確認情報が表示される（Ｓ６８０）。確認情報の一例を図１４（ａ）に示す。
【００９３】
確認情報により選択した発信先情報が正しければ、図１４（ａ）の画面内に表示された「はい」を操作部１２０の入力によって選択して発信先選択処理を終了する。
【００９４】
確認情報により選択した発信先情報に誤りがあった場合は、図１４（ａ）の画面中央の変更を選択して変更画面に移る（Ｓ６９２）。変更画面の一例は図１４（ｂ）に示す。図１４（ｂ）では隣接発信先情報に一時記憶した発信先情報が表示部１１０に表示される。表示された発信先情報に変更する場合は変更したい発信先情報を選択する（Ｓ６９４）。図１４（ｂ）では画面表示の一例として、図１４（ａ）に表示された「斉藤  四○」を選択していた場合の変更画面を示している。「斉藤  四○」を選択していた場合、隣接発信先情報には、「清水  一○」「瀬川  五○」、「瀬田  三○」が一時記憶されている。もし「瀬川  五○」に変更するならば、操作部１２０の入力によって「瀬川  五○」を選択する。
【００９５】
「瀬川  五○」に変更した場合、図１４（ｃ）に図示する変更完了画面を表示して発信先選択処理を終了する。
【００９６】
なお、本実施例における左列、中央列、右列の判断の順序は適宜入れ替わってもよく、右列であることを判断する方法は、選択した発信先情報がＲＡＭ１８０に記憶されている発信先情報データベース上の名前カナ順リストにおいて、３＋３ｎ（ｎは自然数）番目に記憶された発信先情報であるか否かにより行う。
【符号の説明】
【００９７】
１００  携帯電話機
１１０  表示部
１２０  操作部
１２５  Ｄ／Ａコンバータ
１３０  スピーカ
１３５  Ａ／Ｄコンバータ
１４０  マイク
１５０  発光部
１６０  制御部
１７０  ＲＯＭ
１８０  ＲＡＭ
１９０  Ｉ／Ｆ
２００  外部メモリ
２２０  無線回路
２３０  アンテナ
２４０  撮影部
２５０  近距離通信部
２６０  振動部
【図１】
2011155514.tif 000003
【図２】
2011155514.tif 000004
【図３】
2011155514.tif 000005
【図４】
2011155514.tif 000006
【図５】
2011155514.tif 000007
【図６】
2011155514.tif 000008
【図７】
2011155514.tif 000009
【図８】
2011155514.tif 000010
【図９】
2011155514.tif 000011
【図１０】
2011155514.tif 000012
【図１１】
2011155514.tif 000013
【図１２】
2011155514.tif 000014
【図１３】
2011155514.tif 000015
【図１４】
2011155514.tif 000016